(57)【要約】【課題】搬送対象のコンテナが書庫からステーションに到着するまでの間の利用者の苛立ち感を低減させることができる図書保管管理システムを提供すること。【解決手段】管理装置２４は、搬送対象のコンテナ６のコンテナ識別情報を受付けるコンテナ識別情報受付手段２３，２９と、コンテナ識別情報受付手段２３，２９にて受付けたコンテナ識別情報が付与されたコンテナ６を搬送経路に沿って搬送させる搬送制御手段１２，１５，２９と、搬送中のコンテナ６の搬送経路における現在位置を取得するコンテナ位置取得手段２３，２９と、コンテナ位置取得手段２３，２９にて取得したコンテナ位置に基づいて搬送対象のコンテナ６の搬送状況を表示する表示手段２０と、を備える。【選択図】図４
2012035999.tif 000002
【特許請求の範囲】
【請求項１】
複数の図書を収容した複数のコンテナが書庫に保管され、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、搬送対象のコンテナのコンテナ識別情報を受付けるコンテナ識別情報受付手段と、該コンテナ識別情報受付手段にて受付けたコンテナ識別情報が付与されたコンテナを搬送経路に沿って搬送させる搬送制御手段と、該搬送中のコンテナの前記搬送経路における現在位置を取得するコンテナ位置取得手段と、該コンテナ位置取得手段にて取得したコンテナ位置に基づいて前記搬送対象のコンテナの搬送状況を表示する表示手段と、を備えることを特徴とする図書保管管理システム。
【請求項２】
前記複数の図書には、各図書を識別可能な図書識別情報が付与されており、前記管理装置は、前記図書識別情報と前記コンテナ識別情報とを対応付けて記憶する記憶手段と、前記目的の図書の図書識別情報を受付ける図書識別情報受付手段と、をさらに備え、前記図書識別情報受付手段にて受付けた図書識別情報に対応付けて前記記憶手段に記憶されるコンテナ識別情報が前記コンテナ識別情報受付手段に受付けられるようになっていることを特徴とする請求項１に記載の図書保管管理システム。
【請求項３】
前記表示手段は、前記ステーションにコンテナが到着したときに、前記搬送対象のコンテナの搬送状況の表示から、前記図書識別情報に対応付けて前記記憶手段に記憶されている図書に関連する図書関連情報の表示に切り換える制御を行うことを特徴とする請求項２に記載の図書保管管理システム。
【請求項４】
前記表示手段は、前記搬送対象のコンテナの搬送状況の表示を前記搬送経路における複数の領域毎に行うことを特徴とする請求項１ないし３のいずれかに記載の図書保管管理システム。
【請求項５】
前記表示手段は、前記搬送対象のコンテナが複数個搬送される場合に、前記各領域に存在する前記搬送対象のコンテナの個数の表示を行うことを特徴とする請求項１ないし４のいずれかに記載の図書保管管理システム。
【請求項６】
前記ステーションが複数台設けられるとともに、前記コンテナ識別情報受付手段は、各利用者を識別可能な利用者識別情報に対応付けて前記コンテナ識別情報を受付けるようになっており、前記管理装置は、前記各ステーションに設けられる前記表示手段に、前記利用者識別情報に基づいて各搬送対象のコンテナの搬送状況を、前記各ステーションの利用者毎に表示させる制御を行うことを特徴とする請求項１ないし５のいずれかに記載の図書保管管理システム。
【発明の詳細な説明】
【技術分野】
【０００１】
本発明は、管理装置の指令に基づき、書庫に保管されている複数のコンテナの中から、目的の図書を収容するコンテナを取り出してステーションに搬送するとともに、コンテナを図書の貸し出しまたは返却作業後にステーションから書庫に搬送する図書保管管理システムに関する。
【背景技術】
【０００２】
従来の図書保管管理システムにおいては、書庫が図書館の地下に設置されているとともに、ステーションは地上１〜２階に設置されており、地下の書庫からステーションまでの間の搬送経路に設置されたリフターやコンベアなどによりコンテナが搬送されるようになっている（例えば、特許文献１参照）。
【先行技術文献】
【特許文献】
【０００３】
【特許文献１】特開２００６−２９０６２２号公報（第６〜７頁、第１図）
【発明の概要】
【発明が解決しようとする課題】
【０００４】
しかしながら、特許文献１に記載の図書保管管理装置にあっては、地下の書庫から地上のステーションまでコンテナが搬送される搬送時間が平均で１分程度かかるようになっており、コンテナが書庫からステーションに到着するまでの間に、利用者はコンテナがステーションにいつ到着するか見当がつかず、待っている間に利用者の苛立ち感が増すという問題がある。
【０００５】
本発明は、このような問題点に着目してなされたもので、搬送対象のコンテナが書庫からステーションに到着するまでの間の利用者の苛立ち感を低減させることができる図書保管管理システムを提供することを目的とする。
【課題を解決するための手段】
【０００６】
前記課題を解決するために、本発明の図書保管管理システムは、
複数の図書を収容した複数のコンテナが書庫に保管され、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、搬送対象のコンテナのコンテナ識別情報を受付けるコンテナ識別情報受付手段と、該コンテナ識別情報受付手段にて受付けたコンテナ識別情報が付与されたコンテナを搬送経路に沿って搬送させる搬送制御手段と、該搬送中のコンテナの前記搬送経路における現在位置を取得するコンテナ位置取得手段と、該コンテナ位置取得手段にて取得したコンテナ位置に基づいて前記搬送対象のコンテナの搬送状況を表示する表示手段と、を備えることを特徴としている。
この特徴によれば、利用者は表示手段を参照することで、搬送対象のコンテナの搬送経路における現在の搬送状況を把握することができ、搬送対象のコンテナがステーションにいつ頃到着するかの見当がつくようになり、搬送対象のコンテナが書庫からステーションに到着するまでの間の利用者の苛立ち感を低減させることができる。
【０００７】
本発明の図書保管管理システムは、
前記複数の図書には、各図書を識別可能な図書識別情報が付与されており、前記管理装置は、前記図書識別情報と前記コンテナ識別情報とを対応付けて記憶する記憶手段と、前記目的の図書の図書識別情報を受付ける図書識別情報受付手段と、をさらに備え、前記図書識別情報受付手段にて受付けた図書識別情報に対応付けて前記記憶手段に記憶されるコンテナ識別情報が前記コンテナ識別情報受付手段に受付けられるようになっていることを特徴としている。
この特徴によれば、図書識別情報の受付によって目的の図書を収容するコンテナの搬送を行うことができ、かつ利用者は表示手段を参照することで、目的の図書を収容するコンテナの搬送状況を把握することができ、コンテナがステーションにいつ頃到着するか見当がつくため、コンテナが書庫からステーションに到着するまでの間の利用者の苛立ち感を低減させることができる。
【０００８】
本発明の図書保管管理システムは、
前記表示手段は、前記ステーションにコンテナが到着したときに、前記搬送対象のコンテナの搬送状況の表示から、前記図書識別情報に対応付けて前記記憶手段に記憶されている図書に関連する図書関連情報の表示に切り換える制御を行うことを特徴としている。
この特徴によれば、搬送対象のコンテナの搬送状況の表示から、主に貸し出しまたは返却作業を行う際に用いる図書関連情報の表示に切り換える制御が、ステーションにコンテナの到着したときのタイミングにより自動的に行われるため、当該表示の切り換えに利用者の操作を必要としないで済むようになり、操作に不慣れな利用者であっても容易に図書保管管理システムを使用することができる。
【０００９】
本発明の図書保管管理システムは、
前記表示手段は、前記搬送対象のコンテナの搬送状況の表示を前記搬送経路における複数の領域毎に行うことを特徴としている。
この特徴によれば、利用者は表示手段を参照することで、搬送経路におけるいずれの領域に、搬送対象のコンテナが存在するかを把握することができる。
【００１０】
本発明の図書保管管理システムは、
前記表示手段は、前記搬送対象のコンテナが複数個搬送される場合に、前記各領域に存在する前記搬送対象のコンテナの個数の表示を行うことを特徴としている。
この特徴によれば、搬送経路におけるいずれの領域に、いくつのコンテナが存在するかを把握することができる。
【００１１】
本発明の図書保管管理システムは、
前記ステーションが複数台設けられるとともに、前記コンテナ識別情報受付手段は、各利用者を識別可能な利用者識別情報に対応付けて前記コンテナ識別情報を受付けるようになっており、前記管理装置は、前記各ステーションに設けられる前記表示手段に、前記利用者識別情報に基づいて各搬送対象のコンテナの搬送状況を、前記各ステーションの利用者毎に表示させる制御を行うことを特徴としている。
この特徴によれば、それぞれの利用者は表示手段を参照することで、各利用者に対応する搬送対象のコンテナの搬送状況を把握することができる。
【図面の簡単な説明】
【００１２】
【図１】実施例における図書保管管理システムの全体像を示す側面図である。
【図２】ステーションを示す斜視図である。
【図３】ステーションを示す横断平面図である。
【図４】図書保管管理システムの構成を示すブロック図である。
【図５】タッチパネルに表示されるコンテナ取出しメニュー画面を示す図である。
【図６】タッチパネルに表示されるコンテナ搬送進捗画面を示す図である。
【図７】タッチパネルに表示される読取処理画面を示す図である。
【図８】タッチパネルに表示されるコンテナ返却メニュー画面を示す図である。
【図９】図書情報テーブルを示す図である。
【図１０】コンテナ情報テーブルを示す図である。
【図１１】利用者情報テーブルを示す図である。
【発明を実施するための形態】
【００１３】
本発明に係る図書保管管理システムを実施するための形態を実施例に基づいて以下に説明する。
【実施例】
【００１４】
実施例に係る図書保管管理システムにつき、図１から図１１を参照して説明する。以下、図１の紙面左側をステーションの正面側（前方側）とし、図３の紙面下側をステーションの正面側（前方側）として説明する。
【００１５】
図１の符号１は、本発明の適用された図書保管管理システムである。この図書保管管理システム１は、図１に示すように、例えば、図書館にて地上階に設けられ、利用者に公開されている開架書庫２と、図書館の地下階に設けられ、利用者に公開されていない閉架書庫３と、の間に亘って設置されており、閉架書庫３に収容されている図書４を利用者の要求に応じて開架書庫２まで搬送するシステムである。
【００１６】
閉架書庫３には、図書４を収容するための複数の書棚５が配置されている。図４に示すように、これら書棚５には、複数の図書４が収容された複数のコンテナ６が収容されている。尚、本実施例における図書保管管理システム１は、コンテナ６毎に図書４を文学、スポーツ、評論等の分野毎に収容する固定ロケーション方式を採用している。
【００１７】
コンテナ６に収容されている図書４には、各図書４毎に固有の図書ＩＤ（図書識別情報）や図書関連情報が記憶されているＲＦＩＤタグ７が貼り付けられており、このＲＦＩＤタグ７の図書ＩＤは、後述する図書用タグリーダ８（図書識別情報受付手段）及び貸出返却用タグリーダ９（図書識別情報受付手段）によってＩＤ情報を読み取り可能となっている。尚、この図書関連情報とは、各図書４のタイトル、著者、出版社、ページ数等である。
【００１８】
また、本実施例におけるＲＦＩＤタグ７は、内蔵したＩＣチップを非接触方式（無線方式）で、後述する図書用タグリーダ８と貸出返却用タグリーダ９とで読み取らせる公知のパッシブ型のＲＦＩＤタグである。
【００１９】
図１に示すように、図書保管管理システム１は、閉架書庫３にて書棚５から図書４が収容されたコンテナ６を取り出すための複数基のスタッカクレーン１０と、地下階である閉架書庫３と地上階である開架書庫２との間を昇降可能とする搬送エレベータ１１と、を備えている。そして、スタッカクレーン１０によって書棚５から取り出されたコンテナ６は、コンベア１２を介して搬送エレベータ１１に受け渡されるようになっている。
【００２０】
また、図書保管管理システム１は、閉架書庫３からコンテナ６を搬送可能であって、利用者が目的の図書４の貸し出し、若しくは返却を行うことができるステーション１３と、コンテナ６を一時保管するためのロータリーラック１４と、を備えている。搬送エレベータ１１によって地上階まで搬送されたコンテナ６は、コンベア１５を介してステーション１３及びロータリーラック１４まで搬送されるようになっている。尚、本実施例における利用者とは、図書館の司書や、図書館が設置された学校の学生や教授等である。
【００２１】
また、開架書庫２に設けられたステーション１３にて設定された指令に基づき、スタッカクレーン１０は、各書棚５におけるコンテナ６の収容位置まで前後並びに上下方向に自動走行して、コンテナ６の出し入れを行うようになっている。
【００２２】
図２に示すように、ステーション１３の上部には、その内部が中空である中空部１６が形成されている。この中空部１６内には、搬送エレベータ１１側からコンベア１５が延設されており、図書４が収容されているコンテナ６を中空部１６内に搬送可能となっている。尚、本発明における搬送制御手段は、コンベア１２，１５と制御部２９とから構成されている。
【００２３】
図２及び図３に示すように、コンテナ６の内部は、複数の図書４を収容するための上方が開口する収容空間１７となっている。この収容空間１７は、磁性部材からなる磁性板１８によって正面側と背面側とに分割されており、複数の図書４が前後２列に配置され、背表紙４ａをコンテナ６の正面側または背面側に向けた状態で、かつ図書４の厚み方向である左右方向に並べられた状態で収容されている。
【００２４】
図２及び図３に示すように、ステーション１３の中空部１６内の中央には、コンベア１５に連続して設けられたターンテーブル１９が配設されている。ステーション１３に搬送されたコンテナ６は、このターンテーブル１９上に載置されるようになっている。
【００２５】
尚、ステーション１３の利用者は、後述するタッチパネル２０（表示手段）の操作によってターンテーブル１９を回転させてコンテナ６を水平回転させることができる。そのため、コンテナ６は、その正面側及び背面側のいずれの側も利用者側に向けることができるようになり、コンテナ６の正面側及び背面側の両側に図書４を収容しておくことができ、コンテナ６内のスペースを有効利用できる。
【００２６】
そして、ステーション１３の上部正面側には、左右方向に中空部１６を開閉自在なスライド扉２１が取り付けられており、利用者は、このスライド扉２１を開放することによって中空部１６に搬送されてきたコンテナ６から図書４を取り出せるようになっている。
【００２７】
また、コンテナ６の正面側と背面側の外面には、左右方向の略中央部に各コンテナ６を識別可能なバーコード部２２が設けられている。尚、このバーコード部２２には、各コンテナ６を識別できる固有のコンテナＩＤ（コンテナ識別情報）や前後のいずれの側かを示す情報が含まれた情報が書き込まれている。
【００２８】
図３に示すように、ステーション１３の中空部１６内の上流側と下流側には、コンベア１５の正面側と背面側の両側に、コンテナ６に収容されている図書４のＲＦＩＤタグ７から識別情報を読み取るための図書用タグリーダ８と、コンテナ６に取り付けられたバーコード部２２からコンテナＩＤ等の情報を読み取るためのバーコードリーダ２３と、が取り付けられている。本発明におけるコンテナ識別情報受付手段及びコンテナ位置取得手段は、それぞれバーコードリーダ２３と制御部２９とから構成されている。
【００２９】
また、コンベア１５は、搬送エレベータ１１側からステーション１３の中空部１６内に延設されているとともに、中空部１６内から更に搬送エレベータ１１側に延設されている平面視でＵ字状に形成されている。コンテナ６は、ステーション１３において紙面右側から紙面左側へと一方通行に搬送されるようになっており、図書用タグリーダ８は、ステーション１３の上流側及び下流側にそれぞれ設けられている。
【００３０】
また、同様のバーコードリーダ２３が開架書庫２におけるステーション１３外のコンベア１５及び閉架書庫３におけるコンベア１２近傍にも複数箇所に取り付けられている。コンテナ６のバーコード部２２がコンベア１２，１５に設けられたバーコードリーダ２３で読み取られることにより、各コンテナ６の搬送経路における現在位置情報などを後述する管理装置２４が把握することができるようになっている。
【００３１】
尚、前述のロータリーラック１４は、内部に複数のコンテナ６を収容可能となっており、後述するコンテナ呼出処理によって閉架書庫３からステーション１３に呼び出されたコンテナ６が複数ある場合などにコンテナ６をロータリーラック１４に待機させることができるようになっている。
【００３２】
搬送エレベータ１１を介して地上階に搬送された複数のコンテナ６がロータリーラック１４に一時保管された後、コンテナ６は所定の順序でロータリーラック１４から運び出される。そして、ロータリーラック１４から運び出されたコンテナ６は、平面視で右側のコンベア１５から中央のステーション１３に搬送され、ステーション１３での処理が終わったコンテナ６は、左側のコンベア１５に載せられて再び搬送エレベータ１１によって地下階の閉架書庫３へと搬送されるようになっている。
【００３３】
図２に示すように、ステーション１３の正面側には、利用者がコンテナ６から取り出した図書４を載置するための天板２５が設けられている。この天板２５上には、ステーション１３を利用する利用者に対して、図書４の貸し出し及び返却作業の指示を行うためのタッチパネル２０が設けられている。このタッチパネル２０は、利用者が直接指等を接触させて操作可能になっている。
【００３４】
また、天板２５には、図書４のＲＦＩＤタグ７から識別情報を読み取るための貸出返却用タグリーダ９が埋設されている。更に、特に図示しないが、ステーション１３には、図書館の利用者が所有するＩＣカード２６から利用者の利用者ＩＤ（利用者識別情報）を読取可能なカードリーダ２７が設けられている。尚、このＩＣカード２６には、ＲＦＩＤタグが内蔵され、固有の利用者ＩＤが記憶されている。
【００３５】
一方、図書館の管理室（図示略）等には、図４に示すように、閉架書庫３からの図書４の貸し出し及び返却を管理する管理装置２４が設けられている。この管理装置２４は、図９〜図１１に示す図書情報テーブルとコンテナ情報テーブルと利用者情報テーブルが記憶されている記憶部２８（記憶手段）と、管理装置２４内で各種制御を行う制御部２９と、から構成されている。
【００３６】
この制御部２９には、ステーション１３のバーコードリーダ２３と、図書用タグリーダ８と、貸出返却用タグリーダ９と、ターンテーブル１９と、タッチパネル２０と、カードリーダ２７と、が接続されている。また、制御部２９には、コンベア１５と、ロータリーラック１４と、バーコードリーダ２３と、が接続されている。尚、本実施例における図書保管管理システム１には複数のステーション１３が設けられており、管理装置２４は、各ステーション１３とそれぞれ接続されている。
【００３７】
更に、制御部２９には、閉架書庫３のコンベア１２と、スタッカクレーンと、搬送エレベータ１１と、バーコードリーダ２３と、が接続されている。尚、制御部２９は、ＬＡＮ回線等の通信回線３０を介して図書館内部または図書館外部の複数の予約端末３１に接続されている。例えば図書館の利用者は、予約端末３１から管理装置２４に対して所望の図書４の貸出予約を行うことができるようになっている。
【００３８】
図９に示すように、記憶部２８に記憶されている図書情報テーブルには、図書４の図書ＩＤに対して、図書４のタイトルと、巻号、年次、厚さと、この図書４が収容されているコンテナ６のコンテナＩＤと、コンテナ６内における図書４の所在を示す配置位置と、図書情報テーブルの登録内容と実際の図書４の配置に差異が生じていないかを点検する点検作業を行うか否かを図書４毎に指定するチェック要否と、点検作業の結果を示す照合結果と、点検作業において照合不良となった場合にその理由が登録される照合不良情報と、図書４が現在収容されているコンテナ６のコンテナＩＤが登録される現コンテナＩＤと、が対応付けられて記憶されている。
【００３９】
このうち、コンテナ６内の図書４の配置位置は、コンテナ６の前後をＡ及びＢとして登録し、それぞれの側を正面側としたときの左右方向の位置を本実施例では３分割して左側、中央部、右側の位置を１〜３で登録するようにしている。すなわち、配置位置がＢ−２とあるのは、Ｂ側の中央部に図書４が収容されている、ということを示している。
【００４０】
尚、図書情報テーブルに記憶されるこれらの情報は、図書４のＲＦＩＤタグ７を図書用タグリーダ８によって読み取った際に自動で図書情報テーブルに登録されるようにしてもよいし、管理者が手作業による入力をして登録するようにしてもよい。
【００４１】
図１０に示すように、記憶部２８に記憶されているコンテナ情報テーブルには、コンテナ６のコンテナＩＤに対して、固定やフリーなどのロケーションの方式を示すアサイン方式と、コンテナ６が閉架書庫３内のいずれの書棚５にあるかを示すロケーションと、貸し出しまたは返却によって入出庫が行われた最新の日付を示す入出庫日付と、点検作業を行うか否かをコンテナ６毎に指定するチェック要否と、各コンテナ６の前後のいずれかをＡ及びＢで示す前後位置と、図書保管管理システム１の管理者や図書館の司書が自由に入力することができるメモと、点検作業の結果を示す照合結果と、照合結果が不良であった場合にその理由が登録される照合不良情報と、からなるコンテナ関連情報が関連付けて記憶されている。
【００４２】
図１１に示すように、記憶部２８に記憶されている利用者情報テーブルには、利用者が図書館を利用するために図書館に登録した固有の利用者ＩＤと利用者が貸し出しを行う図書４の図書ＩＤとに対して、貸出予定日が関連付けて記憶されている。制御部２９が予約端末３１から貸出予約を受けると、制御部２９は、予約を行った利用者の利用者ＩＤと予約がされた図書ＩＤと貸出予定日を利用者情報テーブルに記憶させるようになっている。更に、利用者ＩＤに対して所定のアクセス権限の有無も登録されている。
【００４３】
次に、予約端末３１によって貸出予約が行われた図書４の貸出処理について、図５から図７を参照して説明する。尚、本実施例においては、図書館が設置された学校の学生が貸出予約を行い、図書館の司書が学生のＩＣカード２６を用いてステーション１３で図書４の貸し出しを行うものとして説明する。
【００４４】
学生が予約端末３１によって図書４の貸出予約をした際には、図１１に示す利用者情報テーブルの貸出予定日に日付が入った状態になっている。また、司書がステーション１３に設置されたタッチパネル２０に表示された指示に従ってタッチパネル２０を操作することによって、図書４の貸し出し作業を行うことができる。
【００４５】
先ず、司書が学生からＩＣカード２６を受け取り、ＩＣカード２６をカードリーダ２７にかざすと、ＩＣカード２６に内蔵されたＲＦＩＤタグに記憶されている固有の利用者ＩＤが読み取られる。管理装置２４の制御部２９は、カードリーダ２７が読み取った利用者ＩＤに基づいて、図１１に示す利用者情報テーブルを参照し、貸出予定日に日付が入っている、即ち貸出予約がなされている図書４の図書ＩＤを特定する。更に、制御部２９は、その図書ＩＤに基づいて図９に示す図書情報テーブルを参照してタイトル等の情報を読み出すとともに、図書４が収容されているコンテナＩＤを特定する。
【００４６】
図５に示すように、制御部２９によって、タッチパネル２０の表示がコンテナ取出しメニュー画面に切り替えられ、図書情報テーブルの情報を基に、貸出予約が行われた図書４のタイトル、巻号、年月次が図書４毎にリスト表示される。
【００４７】
本実施例では、２冊の図書４が貸出対象となっており、貸出予約を行った図書４が複数ある場合は複数の図書４の情報が表示され、一画面で表示しきれない場合には、複数ページで表示し、図示しない前頁ボタンや次頁ボタンで照会可能に表示されるようになっている。また、画面右上には、貸出対象の図書４が収容されたコンテナ６の件数が表示され、本実施例では２件のコンテナ６が搬送対象となっていることが表示されている。
【００４８】
コンテナ取出しメニュー画面には、詳細ボタンと取消ボタンが表示されている。詳細ボタンを押すと、その図書４の著者や出版社等の更なる詳細情報が表示され、取消ボタンを押すと、タッチパネル２０のリストからその図書４の情報が非表示となり、コンテナ呼出を行わない、すなわち今回はその図書４の貸し出しを行わないように変更することができる。
【００４９】
そして、制御部２９は、表示されたリストの内容を確認してコンテナ呼出ボタン３２を押す旨の指示を表示する。司書が表示されたリストを確認してタッチパネル２０に表示されたコンテナ呼出ボタン３２を押すと、制御部２９は、リスト表示された図書４が収容されたコンテナ６を閉架書庫３からステーション１３に搬送するコンテナ呼出処理を行うとともに、タッチパネル２０の表示画面を切り替える制御を行う。具体的には、制御部２９は、スタッカクレーン１０によってコンテナ６を取り出し、取り出したコンテナ６をコンベア１２，１５や搬送エレベータ１１によってステーション１３に搬送させる。
【００５０】
そして、図６に示すように、制御部２９は、コンテナ６の搬送進捗状況を示すコンテナ搬送進捗画面をタッチパネル２０に表示させる。具体的には、制御部２９は、コンテナ６の搬送経路における「閉架書庫」、「コンベア」、「エレベータ」、「ステーション」の４つの領域を表示し、各領域毎に搬送対象のコンテナ６の搬送状況を表示させる。そのため、タッチパネル２０の表示画面を参照することで、搬送経路におけるいずれの領域に、搬送対象のコンテナ６が存在するかを把握することができる。
【００５１】
制御部２９は、搬送進捗画面における画面左下に、閉架書庫３において書棚５からコンテナ６が取り出される状況を示す第１画像３６を表示させ、画面右下に、コンテナ６がコンベア１５で搬送エレベータ１１へ搬送される状況を示す第２画像３７を表示させ、画面左上に、コンテナ６が搬送エレベータ１１でステーション１３のある地上階へ搬送される状況を示す第３画像３８を表示させ、画面右上に、コンテナ６がステーション１３に搬送される状況を示す第４画像３９を表示させる。
【００５２】
即ち、第１画像３６は「閉架書庫」領域を示し、第２画像３７は「コンベア」領域を示し、第３画像３８は「エレベータ」領域を示し、第４画像３９は「ステーション」領域を示している。各画像３６，３７，３８，３９には領域名が付加されており、この領域名は画面中央部に上下方向に並設されている。尚、本実施例では、地下２階の閉架書庫３から地上４階のステーション１３までコンテナ６が搬送されるようになっており、各領域名の後ろに「Ｂ２」や「４Ｆ」などの表示をして何階であるかも示される。
【００５３】
前述したように、コンテナ６にはバーコード部２２が設けられており、搬送経路の所定の複数個所に設置されたバーコードリーダ２３によってコンテナ６のコンテナＩＤが読み取られる。制御部２９は、バーコードリーダ２３が読み取ったコンテナＩＤを基に、対象のコンテナ６の現在位置情報を取得し、取得したコンテナ位置に基づいて、コンテナ６がいずれの領域間を搬送中かをコンテナ搬送進捗画面に随時反映させるようになっている。
【００５４】
また、前述したように、制御部２９は、ＩＣカード２６から読み取った利用者ＩＤを基に利用者情報テーブルを参照して貸出対象の図書ＩＤを特定し、その図書ＩＤを基に図書情報テーブルを参照して搬送対象のコンテナ６のコンテナＩＤを特定している。図書保管管理システム１には複数のステーション１３が設けられているが、制御部２９は、各ステーション１３に設けられたタッチパネル２０に、利用者ＩＤに基づいた各搬送対象のコンテナ６の搬送状況を、各ステーション１３で作業をする司書毎に表示させる制御を行っている。
【００５５】
これにより、各ステーション１３において作業を行うそれぞれの司書は、そのステーション１３に設けられたタッチパネル２０を参照することで、各司書に対応する搬送対象のコンテナ６の搬送状況を把握することができる。
【００５６】
コンテナ搬送進捗画面に表示される各領域名の間には、コンテナ６の搬送の進捗状況を示す表示４０が設けられており、搬送状況の進捗順に該当する表示が点灯するようになっている。例えば、制御部２９は、バーコードリーダ２３から取得したコンテナ６の現在位置情報を基に、コンテナ６が閉架書庫３から取り出されてコンベア１５に移動させるまでの間の経路に存在すると判断した場合には、「閉架書庫」と「コンベア」の領域名の間の表示４０を点灯させ、いずれの領域を搬送中であるかを示すようになっている。
【００５７】
また、制御部２９は、バーコードリーダ２３から取得したコンテナ６の現在位置情報を基に、第１〜第３画像３８，３９，４０の上部に、各領域に存在するコンテナ６の件数を表示させる件数表示部４１が設けられている。
【００５８】
図６に示すように、本実施例において搬送対象となった２件のコンテナ６のうち、閉架書庫３から取り出し中のコンテナ６が１件あり、コンベア１５で搬送中のコンテナ６が１件ある場合には、画面左下の第１画像３６の上部の件数表示部４１と、画面右下の第２画像３７の上部の件数表示部４１と、にそれぞれ「１」と表示され、画面左上の第３画像３８の上部の件数表示部４１に「０」と表示される。これにより、司書は、搬送経路におけるいずれの領域に、いくつのコンテナ６が存在するかを把握することができる。
【００５９】
尚、制御部２９は、現在の搬送状況を示す画像に対して、動画によるアニメーション表示をするようになっている。例えば、図６に示すように、第１画像３６と第２画像３７の搬送状況においてコンテナ６を１件ずつ搬送中の場合には、第１画像３６と第２画像３７が動画によるアニメーション表示がなされる。
【００６０】
更に、制御部２９は、コンテナ６の現在位置に基づいて、コンテナ６がステーション１３に到着するまでの残り時間を算出し、その残り時間を画面上部側の残時間表示部４２に表示させるようになっている。そのため、司書は、あとどれくらいでコンテナ６がステーション１３に到着するかを把握することができる。
【００６１】
このように、司書は、タッチパネル２０に表示されるコンテナ搬送進捗画面を参照することで、搬送対象のコンテナ６の搬送経路における現在の搬送状況を把握することができ、コンテナ６がステーション１３にいつ頃到着するかの見当がつくようになり、搬送対象のコンテナ６が閉架書庫３からステーション１３に到着するまでの間の司書の苛立ち感を低減させることができる。
【００６２】
そして、コンテナ６がステーション１３に搬送され、ステーション１３内に設けられたバーコードリーダ２３によってコンテナＩＤが読み取られると、制御部２９は、対象のコンテナ６がステーション１３に搬送されたことを把握する。また、このときステーション１３の上流側に設けられた図書用タグリーダ８によってコンテナ６内の図書４のＲＦＩＤタグ７が読み取られ、制御部２９は、図書情報テーブルに登録されている内容と照合して確認する確認処理を行う。
【００６３】
コンテナ６がステーション１３に到着すると、制御部２９は、タッチパネル２０の表示画面を、コンテナ搬送進捗画面から、図７に示す図書の取出し及び読取指示を行う読取処理画面に切り替える制御を行う。
【００６４】
尚、呼び出されたコンテナ６が複数ある場合には、前述したロータリーラック１４に一時保管され、先にステーション１３に搬送されたコンテナ６に収容された図書４の貸出処理の終了後に、順次ステーション１３に搬送されるようになっている。複数のコンテナ６のうち、いずれかのコンテナ６がステーション１３に到着した時点で、制御部２９によって画面が切り替わるようになっている。
【００６５】
このように、コンテナ搬送進捗画面から読取処理画面に切り替わる制御が、制御部２９によって、ステーション１３にコンテナ６が到着したときのタイミングにより自動的に行われるため、利用者が表示を切り替える操作が不要であり、操作に不慣れな利用者が利用する場合であっても容易に図書保管管理システム１を使用することができる。
【００６６】
図７に示すように、制御部２９は、図書４のタイトル、巻号、年月次、コンテナ６内の図書４の配置位置を示す書籍の位置などの図書関連情報をタッチパネル２０にリスト表示させる。また、制御部２９は、図書４が読取済か否かの状態を示す表示もさせる。尚、ステーション１３に搬送されたコンテナ６内に収容されている図書４の情報を最上列に表示されるようになっている。
【００６７】
尚、コンテナ６のバーコード部２２には、Ａ側であるかＢ側であるかを示す前後情報が含まれており、制御部２９は、ステーション１３に搬送されたコンテナ６のバーコード部２２の情報からコンテナ６の前後方向を判断し、ステーション１３内で正面側となっている側がＡ側かＢ側であるかを判定する。
【００６８】
そして、制御部２９は、コンテナＩＤを基にコンテナ情報テーブルを参照し、タッチパネル２０の書籍の位置に、コンテナ６内の図書４の位置を概略的に示す位置画像３３を表示させる。この位置画像３３は、前後２列に図書４が収容された状態を示すコンテナ６を簡略化した斜視図となっており、目的の図書４がコンテナ６の正面側に収容されている場合には、位置画像３３の正面側の図書４の列を緑色に塗り潰した位置画像３３を表示させ、目的の図書４がコンテナ６の背面側に収容されている場合には、位置画像３３の背面側の図書４の列を緑色に塗り潰した位置画像３３を表示させる。
【００６９】
司書は、タッチパネル２０に表示された図書４のタイトルや書籍の位置の位置画像３３を参照し、対象の図書４が背面側に配置されている場合には、位置画像３３の近傍に表示されたコンテナ回転ボタン３４を押すと、制御部２９によって、ターンテーブル１９が回転し、コンテナ６の向きが１８０度回転される。ターンテーブル１９の回転が完了すると、制御部２９は、タッチパネル２０の位置画像３３における正面側の図書４の列を黄色に塗り潰して表示させ、コンテナ回転ボタン３４を表示しないようにする。
【００７０】
そして、制御部２９は、コンテナ６から図書４を取り出して貸出返却用タグリーダ９に図書４のＲＦＩＤタグ７を読み取らせる旨の指示を表示する。司書がステーション１３のスライド扉２１を開放して目的の図書４を取り出し、貸出返却用タグリーダ９に図書４のＲＦＩＤタグ７を読み取らせると、制御部２９は、タッチパネル２０に表示されたリストにおいて読み取られた図書４の状態が読取待ちから読取済に表示が切り替わり、読取済となった図書４の情報が表示される列は色が反転して読取が完了したことが視認可能となる。
【００７１】
読取が完了し、ステーション１３にあるコンテナ６において貸出対象の図書４が他にない場合には、制御部２９は、そのコンテナ６をステーション１３からコンベア１２，１５や搬送エレベータ１１やスタッカクレーン１０によって閉架書庫３の書棚５に戻す処理を行い、貸出処理が完了する。
【００７２】
尚、他の読取待ちの図書４が他のコンテナ６に収容されている場合には、そのコンテナ６がロータリーラック１４に一時保管されており、制御部２９は、ロータリーラック１４からステーション１３内にコンテナ６を搬送する処理を行う。司書は、前述したように再度タッチパネル２０の表示に従い同様に貸出処理を行う。
【００７３】
更に尚、複数のコンテナ６のうち、先に到着したコンテナ６の貸出処理が完了したときに、同時に搬送対象となった他のコンテナ６がまだロータリーラック１４よりも閉架書庫３寄りの搬送経路を搬送中の場合には、制御部２９は、先に到着したコンテナ６がステーション１３から閉架書庫３へ向かって発進されたときに、タッチパネル２０の表示画面を、読取処理画面からコンテナ搬送進捗画面に切り替える制御を行い、他のコンテナ６がステーション１３に到着すると、コンテナ搬送進捗画面から読取処理画面に切り替える制御を行う。貸出予約が行われた図書４の全ての貸出処理が完了すると、司書はコンテナ６から取り出した図書４とＩＣカード２６とを学生に受け渡し、図書４が貸し出される。
【００７４】
次に、図書４の返却処理について、図８を参照して説明する。貸し出された図書４が学生から返却された場合に、司書がステーション１３においてタッチパネル２０を操作し、図書４の閉架書庫３への返却作業を行う。本実施例における図書保管管理システム１は、固定ロケーション方式を採用しているため、図書４が保管されるコンテナ６が一意に決められるようになっている。
【００７５】
司書が返却対象の図書４を貸出返却用タグリーダ９にかざすと、制御部２９は図書４のＲＦＩＤタグ７から読み取った図書ＩＤを基に図書情報テーブルを参照し、タイトル等の情報を読み出すとともに、図書４が収容されるべきコンテナＩＤを特定する。尚、複数の図書４を連続して貸出返却用タグリーダ９に読み取らせることもできる。
【００７６】
特に図示しないが、貸出処理と同様に、タッチパネル２０には、図書４のタイトル、巻号、年月次等の情報がリスト表示されるとともにコンテナ呼出ボタンが表示される。司書がコンテナ呼出ボタンを押すと、制御部２９は、リスト表示された図書４が収容されるべきコンテナ６を閉架書庫３からステーション１３に搬送するコンテナ呼出処理を行うとともに、タッチパネル２０の表示画面を切り替える処理を行う。
【００７７】
具体的には、制御部２９は、スタッカクレーン１０によってコンテナ６を取り出し、取り出したコンテナ６をコンベア１２と、搬送エレベータ１１と、コンベア１５と、によってステーション１３に搬送させる。そして、貸出処理と同様に、図６に示すコンテナ搬送進捗画面をタッチパネル２０に表示させる。
【００７８】
コンテナ６がステーション１３に到着すると、制御部２９は、タッチパネル２０の表示画面を、コンテナ搬送進捗画面から、図８に示す図書４の返却処理を行うコンテナ返却メニュー画面に切り替える制御を行う。
【００７９】
コンテナ返却メニュー画面には、対象の図書４の図書ＩＤに対応付けられて図書情報テーブルに登録されている図書４のタイトル、巻号、年月次、書籍の位置が図書４毎にリスト表示される。書籍の位置には、貸出処理の際と同様に、コンテナ６内の図書４の位置を概略的に示す位置画像３３が表示される。
【００８０】
ステーション１３のバーコードリーダ２３によってコンテナ６のバーコード部２２が読み取られ、制御部２９は、バーコードリーダ２３が読み取った情報を基にコンテナ６の向きを判断し、返却対象の図書４の収容する位置、即ち図書情報テーブルに登録されている配置位置がステーション１３内で正面側となっているか背面側となっているかを判定する。
【００８１】
そして、コンテナ６がステーション１３に搬送された際に、返却対象の図書４の収容箇所が背面側となっている場合には、制御部２９は、位置画像３３における背面側の図書４の列を緑色に塗り潰して収容箇所を示す表示をするとともに、コンテナ回転ボタン３４を表示させる。
【００８２】
司書がタッチパネル２０に表示されたコンテナ回転ボタン３４を押すと、制御部２９によって、ターンテーブル１９が回転し、コンテナ６の向きが１８０度回転される。そして、タッチパネル２０の位置画像３３における正面側の図書４の列が黄色に塗り潰されて表示され、返却する図書４をコンテナ６に戻して図書４のチェックボタン３５を押す旨の指示が表示される。
【００８３】
司書が図書４をコンテナ６に戻して図書のチェックボタン３５を押すと、制御部２９は、ステーション１３の下流側にコンテナ６を搬送し、ステーション１３の下流側に設けられた図書用タグリーダ８によって、コンテナ６に収容された図書４のＲＦＩＤタグ７を読み取り、コンテナ６内の図書４と図書情報テーブルに登録されている情報とを照合するチェック処理を行う。制御部２９は、チェック処理が完了すると、コンテナ６をステーション１３からコンベア１２，１５や搬送エレベータ１１やスタッカクレーン１０によって閉架書庫３の書棚５に戻す処理を行い、返却処理が完了する。
【００８４】
以上、本実施例における図書保管管理システム１にあっては、管理装置２４は、搬送対象のコンテナ６のコンテナＩＤを受付けるバーコードリーダ２３及び制御部２９と、バーコードリーダ２３及び制御部２９にて受付けたコンテナＩＤが付与されたコンテナ６を搬送経路に沿って搬送させるコンベア１２，１５及び制御部２９と、搬送中のコンテナ６の搬送経路における現在位置を取得するバーコードリーダ２３及び制御部２９と、バーコードリーダ２３及び制御部２９にて取得したコンテナ位置に基づいて搬送対象のコンテナ６の搬送状況を表示するタッチパネル２０と、を備えることで、司書はタッチパネル２０を参照することで、搬送対象のコンテナ６の搬送経路における現在の搬送状況を把握することができ、搬送対象のコンテナ６がステーション１３にいつ頃到着するかの見当がつくようになり、搬送対象のコンテナ６が閉架書庫３からステーション１３に到着するまでの間の司書の苛立ち感を低減させることができる。
【００８５】
また、複数の図書４には、各図書４を識別可能な図書ＩＤが付与されており、管理装置２４は、図書ＩＤとコンテナＩＤとを対応付けて記憶する記憶部２８と、目的の図書４の図書ＩＤを受付ける図書用タグリーダ８及び貸出返却用タグリーダと、をさらに備え、図書用タグリーダ８及び貸出返却用タグリーダにて受付けた図書ＩＤに対応付けて記憶部２８に記憶されるコンテナＩＤがバーコードリーダ２３及び制御部２９に受付けられるようになっていることで、図書ＩＤの受付によって目的の図書４を収容するコンテナ６の搬送を行うことができ、かつ司書はタッチパネル２０を参照することで、目的の図書４を収容するコンテナ６の搬送状況を把握することができ、コンテナ６がステーション１３にいつ頃到着するか見当がつくため、コンテナ６が閉架書庫３からステーション１３に到着するまでの間の司書の苛立ち感を低減させることができる
【００８６】
また、タッチパネル２０は、ステーション１３にコンテナ６の到着したときに、搬送対象のコンテナ６の搬送状況の表示から、図書ＩＤに対応付けて記憶部２８に記憶されている図書４に関連する図書関連情報の表示に切り換える制御を行うことで、搬送対象のコンテナ６の搬送状況の表示から、主に貸し出しまたは返却作業を行う際に用いる図書関連情報の表示に切り換える制御が、ステーション１３にコンテナ６の到着したときのタイミングにより自動的に行われるため、当表示の切り換えに司書の操作を必要としないで済むようになり、操作に不慣れな司書であっても容易に図書保管管理システムを使用することができる。
【００８７】
また、タッチパネル２０は、搬送対象のコンテナ６の搬送状況の表示を搬送経路における複数の領域毎に行うことで、司書はタッチパネル２０を参照することで、搬送経路におけるいずれの領域に、搬送対象のコンテナ６が存在するかを把握することができる。
【００８８】
また、タッチパネル２０は、搬送対象のコンテナ６が複数個搬送される場合に、各領域に存在する搬送対象のコンテナ６の個数の表示を行うことで、搬送経路におけるいずれの領域に、いくつのコンテナ６が存在するかを把握することができる
【００８９】
また、ステーション１３が複数台設けられるとともに、バーコードリーダ２３及び制御部２９は、各学生を識別可能な利用者ＩＤに対応付けてコンテナＩＤを受付けるようになっており、管理装置２４は、各ステーション１３に設けられるタッチパネル２０に、利用者ＩＤに基づいて各搬送対象のコンテナ６の搬送状況を、各ステーション１３の司書毎に表示させる制御を行うことで、それぞれの司書はタッチパネル２０を参照することで、各司書に対応する搬送対象のコンテナ６の搬送状況を把握することができる。
【００９０】
以上、本発明の実施例を図面により説明してきたが、具体的な構成はこれら実施例に限られるものではなく、本発明の要旨を逸脱しない範囲における変更や追加があっても本発明に含まれる。
【００９１】
例えば、前記実施例では、搬送経路における「閉架書庫」、「コンベア」、「エレベータ」、「ステーション」の４つの領域がタッチパネル２０に表示させるようにしているが、表示する領域はこれらに限らず、更に細かく領域を指定して表示させてもよいし、３つ以下の領域を選択して表示させてもよい。
【符号の説明】
【００９２】
１                図書保管管理システム
４                図書
５                書棚
６                コンテナ
７                ＲＦＩＤタグ
８                図書用タグリーダ（図書識別情報受付手段）
９                貸出返却用タグリーダ（図書識別情報受付手段）
１１              搬送エレベータ
１２              コンベア（搬送制御手段）
１３              ステーション
１５              コンベア（搬送制御手段）
２０              タッチパネル（表示手段）
２２              バーコード部
２３              バーコードリーダ（コンテナ識別情報受付手段，コンテナ位置取得手段）
２４              管理装置
２８              記憶部（記憶手段）
２９              制御部（コンテナ識別情報受付手段，搬送制御手段，コンテナ位置取得手段）
【図１】
2012035999.tif 000003
【図２】
2012035999.tif 000004
【図３】
2012035999.tif 000005
【図４】
2012035999.tif 000006
【図５】
2012035999.tif 000007
【図６】
2012035999.tif 000008
【図７】
2012035999.tif 000009
【図８】
2012035999.tif 000010
【図９】
2012035999.tif 000011
【図１０】
2012035999.tif 000012
【図１１】
2012035999.tif 000013